(57)【特許請求の範囲】
【請求項１】
アルファベット順に配列された見出し語と当該各見出し語の優先度を示す情報と当該各見出し語の説明情報とを対応付けて記憶する辞書記憶手段と、
ユーザ操作に応じて検索文字列を入力する検索文字入力手段と、
この検索文字入力手段により入力された検索文字列に先頭一致する見出し語を前記辞書記憶手段により記憶された見出し語から検索する見出し語検索手段と、
この見出し語検索手段により検索された見出し語を所定個数以内の見出し語からなるリストとして生成する見出し語リスト生成手段と、
この見出し語リスト生成手段により生成された見出し語リストの中に前記予め設定された優先度を示す情報が対応付けられた見出し語があるか否かを判断する優先見出し語判断手段と、
この優先見出し語判断手段により前記生成された見出し語リストの中に前記予め設定された優先度を示す情報が対応付けられた見出し語がないと判断された場合に、当該見出し語リストに含まれる見出し語を、前記見出し語検索手段により検索された見出し語の中から前記予め設定された優先度を示す情報が対応付けられた見出し語が含まれるようになるまで更新させる見出し語リスト更新手段と、
前記優先見出し語判断手段により前記生成された見出し語リストの中に前記予め設定された優先度を示す情報が対応付けられた見出し語があると判断された場合は、前記生成された見出し語リストを、当該リストのうち前記設定優先度を示す情報が対応付けられた見出し語を識別状態にして表示し、前記優先見出し語判断手段により前記生成された見出し語リストの中に前記予め設定された優先度を示す情報が対応付けられた見出し語がないと判断された場合は、前記見出し語リスト更新手段により更新された見出し語リストを、当該リストのうち前記設定優先度を示す情報が対応付けられた見出し語を識別状態にして表示する見出し語リスト表示手段と、
この見出し語リスト表示手段により識別状態にして表示された見出し語に対応する説明情報を前記辞書記憶手段により記憶された該当見出し語の説明情報に基づき表示する説明情報表示手段と、
を備えたことを特徴とする辞書機能を備えた電子機器。
【請求項２】
電子機器のコンピュータを制御するためのプログラムであって、
前記コンピュータを、
アルファベット順に配列された見出し語と当該各見出し語の優先度を示す情報と当該各見出し語の説明情報とを対応付けて記憶する辞書記憶手段、
ユーザ操作に応じて検索文字列を入力する検索文字入力手段、
この検索文字入力手段により入力された検索文字列に先頭一致する見出し語を前記辞書記憶手段により記憶された見出し語から検索する見出し語検索手段、
この見出し語検索手段により検索された見出し語を所定個数以内の見出し語からなるリストとして生成する見出し語リスト生成手段、
この見出し語リスト生成手段により生成された見出し語リストの中に前記予め設定された優先度を示す情報が対応付けられた見出し語があるか否かを判断する優先見出し語判断手段、
この優先見出し語判断手段により前記生成された見出し語リストの中に前記予め設定された優先度を示す情報が対応付けられた見出し語がないと判断された場合に、当該見出し語リストに含まれる見出し語を、前記見出し語検索手段により検索された見出し語の中から前記予め設定された優先度を示す情報が対応付けられた見出し語が含まれるようになるまで更新させる見出し語リスト更新手段、
前記優先見出し語判断手段により前記生成された見出し語リストの中に前記予め設定された優先度を示す情報が対応付けられた見出し語があると判断された場合は、前記生成された見出し語リストを、当該リストのうち前記設定優先度を示す情報が対応付けられた見出し語を識別状態にして表示し、前記優先見出し語判断手段により前記生成された見出し語リストの中に前記予め設定された優先度を示す情報が対応付けられた見出し語がないと判断された場合は、前記見出し語リスト更新手段により更新された見出し語リストを、当該リストのうち前記設定優先度を示す情報が対応付けられた見出し語を識別状態にして表示する見出し語リスト表示手段、
この見出し語リスト表示手段により識別状態にして表示された見出し語に対応する説明情報を前記辞書記憶手段により記憶された該当見出し語の説明情報に基づき表示する説明情報表示手段、
として機能させるためのプログラム。
【発明の詳細な説明】
【技術分野】
【０００１】
本発明は、辞書機能を備えた電子機器およびその制御プログラムに関する。
【背景技術】
【０００２】
従来、電子辞書装置では、検索したい見出し語の文字列を検索文字の入力エリアに入力して表示させ、「訳／決定」キーを操作することで、当該入力された検索文字列と一致する見出し語が辞書データベースから読み出されて表示される通常サーチモードと、検索したい見出し語の文字列を検索文字の入力エリアに１文字ずつ入力して表示させる毎に、その時点で先頭一致する見出し語が辞書データベースから読み出され、見出し語一覧が生成されて表示されるインクリメンタルサーチモードがある。
【０００３】
英単語のインクリメンタルサーチにより検索された見出し語が表示された状態で、ユーザが所定のキーを操作することで、当該見出し語の変化形を検索して表示することのできる電子辞書が考えられている（例えば、特許文献１参照）。
【０００４】
英単語のインクリメンタルサーチにより検索された見出し語の一覧が生成されて表示される状態で、検索文字列を追加で入力してもそれ以上は見出し語の一覧が変化しない場合に、これを報知する電子辞書が考えられている（例えば、特許文献２参照。）。
【先行技術文献】
【特許文献】
【０００５】
【特許文献１】特開２００２−３５８３０１号公報
【特許文献２】特開２００５−０１８４０６号公報
【発明の概要】
【発明が解決しようとする課題】
【０００６】
英単語を調べる場合、通常はその基本形を調べる頻度が一番高いことが予想される。
【０００７】
しかしながら、例えば英和辞書に集録される英単語の見出し語は、動詞などの原形（基本形）とその派生形とが全てアルファベット順に並んでいる。
【０００８】
よって、インクリメンタルサーチにより絞り込み検索をしても、調べたい単語の基本形のスペルよりもその派生形のスペルが、アルファベット順にして前にある場合など、すぐに目的の単語にたどり着けない問題がある。
【０００９】
本発明は、このような課題に鑑みなされたもので、英単語などアルファベット順に見出し語が並んでいる辞書データについて、検索文字の１文字入力毎に先頭一致の見出し語を検索してリスト表示する場合に、予め設定された優先度の高い単語にフォーカスすることが可能になる辞書機能を備えた電子機器およびその制御プログラムを提供することを目的とする。
【課題を解決するための手段】
【００１０】
本発明に係る辞書機能を備えた電子機器は、アルファベット順に配列された見出し語と当該各見出し語の優先度を示す情報と当該各見出し語の説明情報とを対応付けて記憶する辞書記憶手段と、ユーザ操作に応じて検索文字列を入力する検索文字入力手段と、この検索文字入力手段により入力された検索文字列に先頭一致する見出し語を前記辞書記憶手段により記憶された見出し語から検索する見出し語検索手段と、この見出し語検索手段により検索された見出し語を所定個数以内の見出し語からなるリストとして生成する見出し語リスト生成手段と、この見出し語リスト生成手段により生成された見出し語リストの中に前記予め設定された優先度を示す情報が対応付けられた見出し語があるか否かを判断する優先見出し語判断手段と、この優先見出し語判断手段により前記生成された見出し語リストの中に前記予め設定された優先度を示す情報が対応付けられた見出し語がないと判断された場合に、当該見出し語リストに含まれる見出し語を、前記見出し語検索手段により検索された見出し語の中から前記予め設定された優先度を示す情報が対応付けられた見出し語が含まれるようになるまで更新させる見出し語リスト更新手段と、前記優先見出し語判断手段により前記生成された見出し語リストの中に前記予め設定された優先度を示す情報が対応付けられた見出し語があると判断された場合は、前記生成された見出し語リストを、当該リストのうち前記設定優先度を示す情報が対応付けられた見出し語を識別状態にして表示し、前記優先見出し語判断手段により前記生成された見出し語リストの中に前記予め設定された優先度を示す情報が対応付けられた見出し語がないと判断された場合は、前記見出し語リスト更新手段により更新された見出し語リストを、当該リストのうち前記設定優先度を示す情報が対応付けられた見出し語を識別状態にして表示する見出し語リスト表示手段と、この見出し語リスト表示手段により識別状態にして表示された見出し語に対応する説明情報を前記辞書記憶手段により記憶された該当見出し語の説明情報に基づき表示する説明情報表示手段と、を備えたことを特徴としている。
【発明の効果】
【００１４】
本発明によれば、英単語などアルファベット順に見出し語が並んでいる辞書データについて、検索文字の１文字入力毎に先頭一致の見出し語を検索してリスト表示する場合に、予め設定された優先度の高い単語にフォーカスすることが可能になる辞書機能を備えた電子機器およびその制御プログラムを提供できる。
【図面の簡単な説明】
【００１５】
【図１】本発明の実施形態に係る電子辞書装置１０の外観構成を示す正面図。
【図２】前記電子辞書装置１０の電子回路の構成を示すブロック図。
【図３】前記電子辞書装置１０の辞書データベース２２ｂに記憶された英和辞書２２ｂ１における見出し語（単語）Ｍの格納状態を示す図。
【図４】前記電子辞書装置１０の設定モードにおいて選択的に表示されるフォーカスレベルＬの設定画面ＧＳを示す図。
【図５】前記電子辞書装置１０の第１実施形態の辞書検索処理（１）を示すフローチャート。
【図６】前記電子辞書装置１０の第１実施形態の辞書検索処理（１）に伴う辞書検索画面Ｇの表示動作を示す図。
【図７】前記電子辞書装置１０の第２実施形態の辞書検索処理（２）を示すフローチャート。
【図８】前記電子辞書装置１０の第２実施形態の辞書検索処理（２）に伴う辞書検索画面Ｇの表示動作を示す図。
【発明を実施するための形態】
【００１６】
以下図面により本発明の実施の形態について説明する。
【００１７】
図１は、本発明の実施形態に係る電子辞書装置１０の外観構成を示す正面図である。
【００１８】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１９】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、「戻る」キー１４ｄ、カーソルキー１４ｅ、ページ送りキー１４ｆ、スピーカ１５などを備えたキー入力部（キーボード）１４、および手書き入力部（副画面）１６が備えられる。
【００２０】
この手書き入力部（副画面）１６は、ユーザがペンや指等でタッチした位置を検出するタッチ位置検出装置と表示装置が一体となった構造であり、キー入力部１４の中央手前側において例えば２５６×６４ドットの液晶表示画面１６ｄに透明タッチパネル１６ｔを重ねて構成される。この手書き入力部１６の入力領域は、必要に応じて、手書き文字を入力するための手書き文字入力領域や各種機能のボタン入力領域、あるいは当該各入力領域が混在する領域に切り替えられる。
【００２１】
そして、前記手書き入力部１６が手書き文字入力領域に切り替えられた状態での手書き入力に伴う軌跡はその液晶表示画面１６ｄにエコーバックして表示される。
【００２２】
また蓋体ケース１２の表面には、そのほぼ全面を対象に例えば４８０×３２０ドットのバックライト付きのタッチパネル式表示部（主画面）１７が設けられる。このタッチパネル式表示部（主画面）１７も、前記手書き入力部（副画面）１６と同様に、ユーザがペンや指等でタッチした位置を検出するタッチ位置検出装置と表示装置が一体となった構造であり、その液晶表示画面１７ｄに透明タッチパネル１７ｔを重ねて構成される。
【００２３】
図２は、前記電子辞書装置１０の電子回路の構成を示すブロック図である。
【００２４】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２５】
ＣＰＵ２１は、主記憶装置（フラッシュＲＯＭ）２２内に予め記憶された装置制御プログラム、あるいはＲＯＭカードなどの外部記憶媒体２３から記憶媒体読み書き部２４を介して前記主記憶装置２２に読み込まれた装置制御プログラム、あるいはインターネットＮ上のＷｅｂサーバ（この場合はプログラムサーバ）３０から通信制御部２５を介して前記主記憶装置２２に読み込まれた装置制御プログラムに応じて、ＲＡＭ２６を作業用メモリとして回路各部の動作を制御する。
【００２６】
前記主記憶装置２２に記憶された装置制御プログラムは、キー入力部１４、手書き入力部１６、タッチパネル式表示部１７からのユーザ操作に応じた入力信号、あるいは通信制御部２５を介して接続されるインターネットＮ上の各Ｗｅｂサーバ３０…との通信信号に応じて起動される。
【００２７】
前記ＣＰＵ２１には、前記主記憶装置２２、記憶媒体読み書き部２４、通信制御部２５、ＲＡＭ２６、キー入力部１４、手書き入力部１６、タッチパネル式表示部１７が接続される。
【００２８】
主記憶装置２２には、装置制御プログラムとして、当該電子辞書装置１０の全体の動作を司るシステムプログラムや通信制御部２５を介してインターネットＮ上の各Ｗｅｂサーバ３０…や図示しないユーザＰＣ(Personal Computer)などとデータ通信するための通信プログラムが記憶される。また他に、辞書機能における見出し語検索処理、検索見出し語のリスト表示処理、カーソルＣｕによりフォーカスされた見出し語に対応する訳語・意味内容・例文（用例）などの各種説明情報の読み出し表示処理など、同主記憶装置２２内に記憶された辞書データベース２２ｂに基づく検索処理全般を制御するための辞書検索プログラム２２ａが記憶される。
【００２９】
辞書データベース２２ｂには、例えば英語の見出し語（単語）に対応付けて日本語の説明情報が記述された英和辞書、英語の見出し語（単語）に対応付けて英語の説明情報が記述された英英辞書をはじめ、英類語辞書、和英辞書、国語辞書、百科辞典など、複数種類の辞書データベースが、予め記憶されるかあるいはダウンロードされて記憶される。
【００３０】
図３は、前記電子辞書装置１０の辞書データベース２２ｂに記憶された英和辞書２２ｂ１における見出し語（単語）Ｍの格納状態を示す図である。
【００３１】
この英和辞書２２ｂ１に記憶される全ての見出し語（英単語）Ｍ…は、アルファベット順に配列されて記憶されるもので、各見出し語Ｍ…には、インクリメンタルサーチに伴う検索見出し語のリスト表示において、優先的にカーソルＣｕを合わせて表示する見出し語を判別するためのフォーカスレベルＬ…が対応付けられて記憶される。
【００３２】
この英和辞書２２ｂ１の各見出し語（英単語）Ｍ…に対応付けられるフォーカスレベルＬ…は、例えば英単語を調べる頻度が一番高いと予想される原形（基本形）の単語が“３”、その各派生形の単語が“２”や“１”として記憶される。
【００３３】
なお、この各見出し語（英単語）Ｍ…に対応付けるフォーカスレベルＬ…は、例えばユーザが高校性である場合には、高校までに習うべき単語を“３”、大学にて習う単語を“２”、それ以外の単語を“１”とするなど、ユーザ任意に対応付けて記憶させてもよい。
【００３４】
また、前記フォーカスレベルＬ…は、前記英和辞書２２ｂ１の他、英英辞書、英類語辞書など、英語系の辞書のみならず、各見出し語（単語）がアルファベット順に配列されて記憶される言語の辞書の各見出し語（単語）にも同様に記憶させてよい。
【００３５】
ＲＡＭ２６には、表示部１７の表示画面に対応した表示データの記憶領域を有し、その表示画面に表示すべきデータがビットマップのパターンデータとして展開記憶される表示メモリ、前記辞書検索プログラム２２ａに従ってユーザ入力された文字・数字・記号などの入力データが記憶保持される検索文字メモリ、辞書検索処理された見出し語や説明情報が記憶される検索結果メモリ、前記辞書検索プログラム２２ａに従いＣＰＵ２１に入出力される種々のデータが必要に応じて記憶されるワークメモリなどが備えられる。
【００３６】
またＲＡＭ２６にはさらに、レベルデータメモリ２６ａ、表示リストメモリ２６ｂが備えられる。
【００３７】
レベルデータメモリ２６ａには、前記フォーカスレベルＬを有する見出し語（単語）が記憶された辞書を対象として見出し語検索する場合に、検索見出し語のリスト表示において、カーソルＣｕを優先して表示すべき見出し語のレベルＬ（例えば“３”or“２”or“１”）が、ユーザ任意に設定されて記憶される。
【００３８】
図４は、前記電子辞書装置１０の設定モードにおいて選択的に表示されるフォーカスレベルＬの設定画面ＧＳを示す図である。
【００３９】
このフォーカスレベルＬの設定画面ＧＳに従いユーザ設定されたフォーカスのレベル（“３”or“２”or“１”）が、前記レベルデータメモリ２６ａに記憶される。
【００４０】
表示リストメモリ２６ｂには、前記辞書検索プログラム２２ａに従ったインクリメンタルサーチによる見出し語検索処理に伴い検索された見出し語のリストが、辞書検索画面Ｇ（図６参照）の見出し語リストエリアＥ２に表示可能な見出し語の数に応じて生成されて記憶される。
【００４１】
この表示リストメモリ２６ｂに記憶される見出し語のリストが前記辞書検索画面Ｇ（図６参照）の見出し語リストエリアＥ２に表示される場合、前記レベルデータメモリ２６ａに設定記憶されたフォーカスのレベルであって、且つその最初の見出し語（単語）にカーソルＣｕが合わされて表示される。
【００４２】
次に、前記構成による電子辞書装置１０の動作について説明する。
【００４３】
（第１実施形態）
図５は、前記電子辞書装置１０の第１実施形態の辞書検索処理（１）を示すフローチャートである。
【００４４】
図６は、前記電子辞書装置１０の第１実施形態の辞書検索処理（１）に伴う辞書検索画面Ｇの表示動作を示す図である。
【００４５】
インクリメンタルサーチモードの設定状態で、辞書指定キー１４ｂにより例えば「英和辞書」２２ｂ１が指定されると、先ず、検索文字列の入力エリアＥ１のみで構成された辞書検索画面Ｇが表示部１７に表示される。
【００４６】
この検索文字列の入力エリアＥ１において、調べたい英単語のスペルに合わせて、先ず、最初の１文字を入力すると（ステップＳ１）、当該入力された文字と先頭一致する見出し語（英単語）が前記「英和辞書」２２ｂ１から検索され（ステップＳ２，Ｓ３）、その有無が判断される（ステップＳ３）。
【００４７】
前記入力された文字と先頭一致する見出し語（英単語）が検索されたと判断されると（ステップＳ３（Ｙｅｓ））、当該検索された見出し語のリストがＲＡＭ２６内の表示リストメモリ２６ｂに生成されて記憶される（ステップＳ４）。
【００４８】
そして、前記表示リストメモリ２６ｂに記憶された検索見出し語のリストにおいて、ＲＡＭ２６内のレベルデータメモリ２６ａに設定記憶されたフォーカスのレベルが対応付けられている見出し語（英単語）が有るか否か、前記「英和辞書」２２ｂ１（図３参照）内の該当する見出し語ＭとそのフォーカスレベルＬに基づき判断される（ステップＳ５）。
【００４９】
ここで、前記検索見出し語のリスト内に、前記レベルデータメモリ２６ａにて設定記憶されたフォーカスレベルの見出し語（英単語）が有ると判断されると（ステップＳ５（Ｙｅｓ））、当該設定レベルの見出し語（英単語）のうち、同リスト内で最初の見出し語がカーソルＣｕによりフォーカスされ、前記辞書検索画面Ｇの見出し語リストエリアＥ２にリスト表示される（ステップＳ６）。
【００５０】
この際、前記辞書検索画面Ｇの見出し語リストエリアＥ２内でカーソルＣｕによりフォーカスされた見出し語（英単語）に対応する説明情報が、前記「英和辞書」２２ｂ１から読み出され、同辞書検索画面Ｇ内の説明情報プレビューエリアＥ３にプレビュー表示される。
【００５１】
この後、前記検索文字列の入力エリアＥ１において、調べたい英単語のスペルに合わせた次の文字を、順次１文字ずつ入力して追加して行くと（ステップＳ７（Ｙｅｓ）→Ｓ８）、その都度、当該入力エリアＥ１に表示された検索文字列と先頭一致する見出し語（英単語）が検索され（ステップＳ２）、この検索見出し語のリストが表示リストメモリ２６ｂ内に更新されて生成記憶される（ステップＳ４）。
【００５２】
そして、前記表示リストメモリ２６ｂ内に更新記憶された検索見出し語のリストは、そのうち前記レベルデータメモリ２６ａに設定記憶されたフォーカスレベルで最初に位置する見出し語（英単語）にカーソルＣｕが合わされ、前記辞書検索画面Ｇの見出し語リストエリアＥ２に表示される（ステップＳ５→Ｓ６）。
【００５３】
すなわち、前記ＲＡＭ２６内のレベルデータメモリ２６ａにフォーカスレベル“３”が設定記憶された状態で、図６（Ａ）に示すように、辞書検索画面Ｇの検索文字列入力エリアＥ１に、調べたい英単語に応じた所望の検索文字列が順次１文字ずつ例えば「consu」まで入力される（ステップＳ１，Ｓ７，Ｓ８）。
【００５４】
すると、インクリメンタルサーチにより前記「英和辞書」２２ｂ１（図３参照）から先頭一致検索された１０個の見出し語からなる見出し語リスト「consubstantial」〜「consultant」が生成され、前記辞書検索画面Ｇの見出し語リストエリアＥ２にリスト表示される（ステップＳ２〜Ｓ４）。
【００５５】
この際、リスト表示された１０個の見出し語（英単語）「consubstantial」〜「consultant」の中で、前記設定されたフォーカスレベル“３”の英単語「consult」「consultant」が判別され（ステップＳ５）、そのうち配列順位にして最初の英単語「consult」がカーソルＣｕにより指定されて表示される（ステップＳ６）。
【００５６】
このカーソルＣｕにより指定された見出し語（英単語）「consult」に対応する説明情報は、同辞書検索画面Ｇ内の説明情報プレビューエリアＥ３にプレビュー表示される。
【００５７】
ここで、「訳／決定」キー１４ｃが押下されると（ステップＳ９（Ｙｅｓ））、前記カーソルＣｕにより指定された見出し語（英単語）「consult」に対応する説明情報は、表示部１７の全画面に展開されて表示される（ステップＳ１０）。
【００５８】
また、前記図６（Ａ）で示したように、インクリメンタルサーチに伴い、検索文字列「consu」まで入力された時点での見出し語リスト「consubstantial」〜「consultant」の表示状態において、図６（Ｂ）に示すように、次の１文字の「consum」まで入力されると、前記「英和辞書」２２ｂ１（図３参照）から新たに先頭一致検索された１０個の見出し語からなる見出し語リスト「consumable」〜「consummative」が生成され、前記辞書検索画面Ｇの見出し語リストエリアＥ２にリスト表示される（ステップＳ７，Ｓ８，Ｓ２〜Ｓ４）。
【００５９】
この際、リスト表示された１０個の見出し語（英単語）「consumable」〜「consummative」の中で、前記設定されたフォーカスレベル“３”の英単語「consume」「consumer」…が判別され（ステップＳ５）、そのうち配列順位にして最初の英単語「consume」がカーソルＣｕにより指定されて表示される（ステップＳ６）。
【００６０】
そして、「訳／決定」キー１４ｃが押下されると（ステップＳ９（Ｙｅｓ））、前記カーソルＣｕにより指定された見出し語（英単語）「consume」に対応する説明情報は、表示部１７の全画面に展開されて表示される（ステップＳ１０）。
【００６１】
このように、第１実施形態の辞書検索処理（１）では、インクリメンタルサーチにより調べたい英単語の検索文字列が１文字ずつ入力されるのに伴い、先頭一致検索された見出し語リストが生成されて見出し語リストエリアＥ２にリスト表示されるときには、当該見出し語リストの中で、ユーザ設定されたフォーカスレベル“３”に対応付けられている見出し語（英単語）のうちの最初の英単語にカーソルＣｕが合わされて表示される。このため、前記ユーザ設定されたフォーカスレベル“３”が、例えば英単語を調べる頻度が一番高いと予想される原形（基本形）の英単語に対応付けられている場合には、これを素早く確実に検索することができる。
【００６２】
一方、前記ステップＳ５において（Ｎｏ）、つまり、検索文字列に先頭一致する見出し語（英単語）が検索されて見出し語リストが生成された状態で（ステップＳ２〜Ｓ４）、当該リスト内の見出し語（英単語）に設定レベルの見出し語が無いと判断された場合は、同設定レベルの見出し語（英単語）が出現するまで見出し語リスト内の見出し語が先送りされる（ステップＳ１１）。
【００６３】
ここで、前記設定レベルの見出し語（英単語）が出現するまで見出し語リスト内の見出し語が送られたと判断された場合には（ステップＳ１２（Ｙｅｓ））、このときの見出し語リスト内に出現した設定レベルの見出し語（英単語）にカーソルＣｕが合わされてリスト表示される（ステップＳ６）。
【００６４】
例えば検索文字入力エリアＥ１に検索文字「c」が入力された場合（ステップＳ１）、当該検索文字「c」と先頭一致する多数の見出し語「c,C」「c」「C」…が前記「英和辞書」２２ｂ１（図３参照）から検索され、見出し語リストエリアＥ２に合わせた１０個の検索見出し語からなる検索見出し語リスト「c,C」「c」「C」…「ca」「CA」が生成される（ステップＳ３，Ｓ４）。
【００６５】
しかし、前記生成された検索見出し語リスト「c,C」「c」「C」…「ca」「CA」の中には、設定レベル“３”の見出し語（英単語）が無いと判断されるので（ステップＳ５（Ｎｏ））、設定レベル“３”が対応付けされている見出し語「cab」が出現するまで見出し語リストが送られ（ステップＳ１１，Ｓ１２（Ｙｅｓ））、当該見出し語「cab」にカーソルＣｕが合わされて見出し語リストエリアＥ２に表示される（ステップＳ６）。
【００６６】
このため、前記ユーザ設定されたフォーカスレベル“３”が、前記同様に英単語を調べる頻度が一番高いと予想される原形（基本形）の英単語に対応付けられている場合には、これをより素早く検索することができる。
【００６７】
なお、前記ステップＳ１２にて（Ｎｏ）、つまり、前記ステップＳ１１において、見出し語リスト内の見出し語が、前記検索文字列に先頭一致する範囲で先送りされた際に、設定レベルの見出し語（英単語）が出現しなかったと判断された場合には、前記ステップＳ４にて生成された元の見出し語リスト内の先頭の見出し語（英単語）にカーソルＣｕが合わされてリスト表示される（ステップＳ１３）。
【００６８】
そして、前記辞書検索画面Ｇの見出し語リストエリアＥ２に対する見出し語リストの表示状態において、カーソルキー１４ｅが押下されると（ステップＳ１４（Ｙｅｓ））、当該見出し語リスト内に表示されているカーソルＣｕが、カーソルキーの送り方向に移動されて表示される（ステップＳ１５）。
【００６９】
この後、前記見出し語リスト内の任意の見出し語までカーソルＣｕを移動表示させた状態で、「訳／決定」キー１４ｃが押下されると（ステップＳ９（Ｙｅｓ））、当該カーソルＣｕにより指定された見出し語に対応する説明情報が、表示部１７の全画面に展開されて表示される（ステップＳ１０）。
【００７０】
このため、ユーザ設定された見出し語のフォーカスレベルに関係なく、その時々に所望の見出し語も容易にカーソルＣｕで指定して、その説明情報を表示させることができる。
【００７１】
なお、前記ステップＳ３において（Ｎｏ）、つまり、インクリメンタルサーチに伴い入力された検索文字列と先頭一致する見出し語（単語）が、指定の辞書に存在しないと判断された場合には、エラーメッセージ「該当する候補単語がありません」が表示部１７に表示される（ステップＳ１６）。
【００７２】
（第２実施形態）
図７は、前記電子辞書装置１０の第２実施形態の辞書検索処理（２）を示すフローチャートである。
【００７３】
図８は、前記電子辞書装置１０の第２実施形態の辞書検索処理（２）に伴う辞書検索画面Ｇの表示動作を示す図である。
【００７４】
この第２実施形態の辞書検索処理（２）において、前記図５における第１実施形態の辞書検索処理（１）と同一の処理ステップについては、それと同一のステップ符号を付してその説明を省略する。
【００７５】
すなわち、第２実施形態の辞書検索処理（２）では、辞書検索画面Ｇの検索文字列入力エリアＥ１に入力された検索文字列と先頭一致する見出し語（英単語）が、「英和辞書」２２ｂ１（図３参照）から検索されたと判断されると（ステップＳ２，Ｓ３（Ｙｅｓ））、当該検索された見出し語（英単語）の中から、レベルデータメモリ２６ａに設定されているフォーカスレベル“３”が対応付けされた見出し語だけ抽出され、表示リストが生成される（ステップＳ４′）。
【００７６】
ここで、前記設定されたフォーカスレベル“３”だけの検索見出し語のリストが生成されたと判断されると（ステップＳ５′）、当該リストの先頭の見出し語（英単語）にカーソルＣｕが合わされて、前記辞書検索画面Ｇの見出し語リストエリアＥ２にリスト表示される（ステップＳ６′）。
【００７７】
一方、前記ステップＳ５′において（Ｎｏ）、つまり、前記先頭一致検索された見出し語（英単語）の中に前記設定されたフォーカスレベル“３”の見出し語が存在せず、当該設定レベル“３”だけの検索見出し語のリストが生成できないと判断されると、前記ステップＳ２にて検索された見出し語のまま前記設定レベル“３”を考慮しない検索見出し語リストが生成される（ステップＳ１１′）。
【００７８】
この生成された検索見出し語リストは、その先頭の見出し語にカーソルＣｕが合わされて、前記辞書検索画面Ｇの見出し語リストエリアＥ２にリスト表示される（ステップＳ１３′）。
【００７９】
そして、前記ステップＳ２〜Ｓ６′またはステップＳ２〜Ｓ１３′の処理に従い、設定レベル“３”の検索見出し語のみによるリスト表示、または設定レベルに無関係の検索見出し語によるリスト表示がなされた状態で、「訳／決定」キー１４ｃが押下されると（ステップＳ９（Ｙｅｓ））、何れもそのリスト先頭に位置するカーソルＣｕにより指定された見出し語（英単語）に対応する説明情報が、表示部１７の全画面に展開されて表示される（ステップＳ１０）。
【００８０】
例えば図８（Ａ）に示すように、辞書検索画面Ｇの検索文字列入力エリアＥ１において、検索文字列「cons」まで入力した場合、前記「英和辞書」２２ｂ１（図３参照）から当該検索文字列「cons」と先頭一致する見出し語（英単語）が検索され、例えば完全一致する「cons.」を先頭にして先頭一致する「consumptive」まで、多数の見出し語が検索される（ステップＳ２，Ｓ３（Ｙｅｓ））。
【００８１】
すると、前記多数の検索見出し語「cons.」〜「consumptive」のうち、フォーカスレベルＬが設定レベル“３”の見出し語のみ抽出され、そのうち見出し語リストエリアＥ２に収まる１０個の検索見出し語からなるリスト「conscience」〜「consider」が生成されて表示される。この際、見出し語リストエリアＥ２に表示される検索見出し語リスト「conscience」〜「consider」は、その先頭の見出し語「conscience」がカーソルＣｕにより指示される（ステップＳ４′〜Ｓ６′）。
【００８２】
この後さらに、図８（Ｂ）に示すように、検索文字列入力エリアＥ１において、検索文字列「consu」まで入力すると、前記「英和辞書」２２ｂ１（図３参照）から当該検索文字列「consu」と先頭一致する見出し語（英単語）が検索され、例えば「consubstantial」を先頭に「consumptive」までの見出し語が検索される（ステップＳ２，Ｓ３（Ｙｅｓ））。
【００８３】
すると、前記検索見出し語「consubstantial」〜「consumptive」のうち、フォーカスレベルＬが設定レベル“３”の６個の見出し語のみ抽出されて検索見出し語リスト「consult」〜「consumption」が生成され、見出し語リストエリアＥ２に表示される。この際、見出し語リストエリアＥ２に表示される検索見出し語リスト「consult」〜「consumption」は、その先頭の見出し語「consult」がカーソルＣｕにより指示される（ステップＳ４′〜Ｓ６′）。
【００８４】
このように、第２実施形態の辞書検索処理（２）では、インクリメンタルサーチにより調べたい英単語の検索文字列が１文字ずつ入力されるのに伴い、先頭一致検索された見出し語のうちでユーザ設定されたフォーカスレベル“３”に対応付けられている見出し語（英単語）だけからなる見出し語リストが生成され、その先頭の見出し語にカーソルＣｕが合わされて見出し語リストエリアＥ２にリスト表示される。このため、前記ユーザ設定されたフォーカスレベル“３”が、例えば英単語を調べる頻度が一番高いと予想される原形（基本形）の英単語に対応付けられている場合には、これを素早く確実に検索することができる。
【００８５】
なお、前記各実施形態において、辞書データベース２２ｂの各見出し語（単語）に対応付けて設定するフォーカスレベルＬは、重要単語のレベルを“１”（優先する）、重要でない単語のレベルを“０”（優先しない）として設定してもよい。
【００８６】
また、前記各実施形態において、各見出し語（単語）が基本形であるか派生形であるかの判別は、当該各見出し語（単語）に対応付けて設定したフォーカスレベルＬに基づき判別する構成としたが、例えば各見出し語（単語）のスペルに「-able」「-ably」などが含まれるか否かを判断して、派生形か基本形かを判別する構成としてもよい。
【００８７】
なお、前記各実施形態において記載した電子辞書装置１０による各処理の手法、すなわち、図５のフローチャートに示す第１実施形態の辞書検索処理（１）、図７のフローチャートに示す第２実施形態の辞書検索処理（２）などの各手法、及び辞書データベース（２２ｂ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、電子機器のコンピュータは、この外部記憶媒体２３に記憶されたプログラムを記憶装置（２２）に読み込み、この読み込んだプログラムによって動作が制御されることにより、前記各実施形態において説明したインクリメンタルサーチモードでの検索見出し語リストにおける優先見出し語へのカーソルＣｕのフォーカス機能を実現し、前述した手法による同様の処理を実行することができる。
【００８８】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述したインクリメンタルサーチモードでの検索見出し語リストにおける優先見出し語へのカーソルＣｕのフォーカス機能を実現することもできる。
【００８９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００９０】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…「戻る」キー
１４ｅ…カーソルキー
１４ｆ…ページ送りキー
１５  …スピーカ
１６  …手書き入力部
１６ｄ…液晶表示部
１６ｔ…透明タッチパネル
１７  …タッチパネル式表示部
１７ｄ…液晶表示部
１７ｔ…透明タッチパネル
２１  …ＣＰＵ
２２  …主記憶装置
２２ａ…辞書検索プログラム
２２ｂ…辞書データベース
２２ｂ１…英和辞書
２３  …外部記憶媒体
２４  …記憶媒体読み書き部
２５  …通信制御部
２６  …ＲＡＭ
２６ａ…レベルデータメモリ
２６ｂ…表示リストメモリ
３０  …Ｗｅｂサーバ
Ｍ    …見出し語（単語）
Ｌ    …フォーカスレベル
ＧＳ  …フォーカスレベル設定画面
Ｇ    …辞書検索画面
Ｅ１  …検索文字列入力エリア
Ｅ２  …検索見出し語リストエリア
Ｅ３  …説明情報プレビューエリア
Ｃｕ  …カーソル
【図１】
0005487898.tif 000002
【図２】
0005487898.tif 000003
【図３】
0005487898.tif 000004
【図４】
0005487898.tif 000005
【図５】
0005487898.tif 000006
【図６】
0005487898.tif 000007
【図７】
0005487898.tif 000008
【図８】
0005487898.tif 000009